(57)【要約】      （修正有）【課題】蓄電池を用いた交互に放電・充電する方法で効率のよい交互に放電・充電する蓄電池を提供する。【解決手段】蓄電池１と、蓄電池をオンオフする第一のスイッチＳＷ１よりなり、マイコン２のサイクル制御で瞬間的に接続接点する。第二のスイッチＳＷ２と接続される全波整流回路Ｄ１の出力を外部に取り出す放電部を、マイコンのサイクルに制御された断続した箇所にマイコン制御を合わせた制御で瞬間的に接続する。第四のスイッチＳＷ４と接続されるＮ／Ｐ可変容量ダイオード５の出力と接続されるプラス極に接続して充電する状態にした出力のマイナス極に接続されたスイッチＳＷ３は切りへ、スイッチＳＷ５は入りにされて通過した出力に抵抗Ｒを接続する。抵抗の出力に半波整流ダイオードＤ２を接続する。半波整流ダイオードの出力は、全波整流回路に接続され交互に放電・充電を可能とする。【選択図】図１
2016036238.tif 000002
【特許請求の範囲】
【請求項１】
蓄電池と該蓄電池をオンオフする第一のスイッチと、該第一のスイッチと接続される交互に放電・充電する蓄電池よりなり、前記放電は、マイコン制御で瞬間的に接続接点する、第二のスイッチと、該第二のスイッチと接続される全波整流回路の出力を外部に取り出す放電部と、前記充電は、第二のスイッチはマイコン制御で断続箇所に制御を合わせた制御でっ瞬間接続接点する、第二スイッチと、該第二のスイッチと接続されるＮ／Ｐ可変圧容量ダイオードの出力に接続されるプラス極で充電する状態にした出力はＳＷ３スイッチは切り、ＳＷ５は入りで通過した出力に抵抗をつなぎ該抵抗の出力にＰ／Ｎダイオードを接続該Ｐ／Ｎダイオードを接続該Ｐ／Ｎダイオードの出力はＰ／Ｎダイオードの全波整流回路に接続される蓄電部とを有して構成されることを特徴とする交互に放電・充電する蓄電池。
【請求項２】
蓄電池の電力を使用した、電気回路による放電と充電をする請求項１の交互に放電・充電する蓄電池。
【発明の詳細な説明】
【技術分野】
【０００１】  本発明は、交互に放電・充電する蓄電池に関し、さらに詳しくは半波整流の断続した個所に送電流の電圧を掛けるを繰り返す交互に放電・充電する蓄電池に関するものである。
【背景技術】
【０００２】  従来の蓄電池は、電力がなくなると充電器に接続して充電することが知られている。
【発明の概要】
【発明が解決しようとする課題】
【０００３】  そのために次のような問題があった。
従来、使用されている蓄電池の電力を使用して可変圧容量ダイオードの空乏層による電圧が大きくなる特性を使用する。
また、半波整流の原理の断続する個所に逆電流の電圧を掛けることで、整流、逆流を繰り返すことで、蓄電池の消費する電力を少なく出来る可能性を提供することを目的としている。
本発明は、以上の問題点を解決しようとするものである。
【課題を解決するための手段】
【０００４】  前記した課題を解決するために本発明は、蓄電池を、蓄電池と接続される、第一のスイッチと、該第一のスイッチと接続される交互に放電、充電する蓄電池よりなり、
前規放電は、マイコン制御で瞬間接続点するＳＷ２、第二のスイッチと、該第二のスイッチと接続される全波整流回路を接続して外部に取り出す放電部を、
前記充電は、第二のスイッチＳＷ２の出力に接続接点される、第四のスイッチＳＷ４は、該第二のマイコンと連動する、第四のマイコン制御で瞬間的に接続された出力は逆電流を防止するダイオードを通過した出力にＮ／Ｐ可変容量ダイオードの出力は、該蓄電池を充電する元になる電源は電圧、電流出力に接続される電圧ダイオード出力は、第二のスイッチＳＷ２切りへ、第一のスイッチＳＷ１入りで該蓄電池の＋プラス極に接続される充電部−マイナス極出力は、第三のスイッチＳＷ３切りへ、第五のスイッチＳＷ５瞬間入りした出力に抵抗（Ｒ）を接続該抵抗の出力にＰ／Ｎダイオード（Ｄ２）の出力をマイコン（４）ＳＷ４、第四のスイッチの出力側に接続する充電部とを有して構成したことを特徴とする。
【発明の効果】
【０００５】  本発明によれば、従来の蓄電池を使用して交互に放電、充電する蓄電池を提供することが可能になる。
【図面の簡単な説明】
【０００６】
【図１】  本発明一実施例を示した構成図である。
【図２】  本発明の説明図である。
【発明を実施するための形態】
【０００７】  以下、本発明の実施の形態について説明する。
（イ）蓄電池（１）は元電源である。
（ロ）ＳＷ１、第一のスイッチは、該蓄電池の出力をオンオフするスイッチである。
（ハ）ＳＷ２、第二のスイッチは、マイコン（２）の制御で瞬間的に接続接点される。
また、マイコン（２）は半波整流のサイクル制御を繰り返す。
尚、マイコン（４）、マイコン（６）、マイコン（７）は該マイコン（２）と連動    する。
（ニ）全波整流回路（Ｄ１）は断続した電力を全波整流回路を直流にして外部に取り出す    放電部である。
（ホ）マイコン（４）、ＳＷ４、第四のスイッチは、該マイコン（２）と連動する制御を    する。
（ヘ）ダイオード（Ｄ２）は、逆電流を防止する。
（ト）可変圧容量ダイオードＮ／Ｐ（５）は、電流電圧を大きくするものである。
（チ）電圧ダイオード（Ｄ３）は、逆電流を防止する。
（リ）マイコン（６）の制御で切りになる、第三のスイッチ、該マイコン（６）の制御で    入になる、第五のスイッチである。
（ヌ）抵抗（Ｒ）は、該蓄電池（１）の電圧に下げるものである。
（ル）ダイオード（Ｄ２）は、逆電流を防止する。
（ワ）半波整流するダイオード（Ｄ１）は、放電流と充電流を全波整流回路に接続して全    波整流の直流に変換する
（ア）マイコン（７）、ＳＷ７、第七のスイッチは、逆電流を防止する。
（イ）負荷（３）は、該蓄電池（１）のパワーで交互に放電、充電されたパワー電力であ    る。
本発明は以上のような構成である。
本発明の使い方を説明する。
１．放電としての動作
蓄電池（１）と該蓄電池（１）のパワーをオンする、第一のスイッチＳＷ１を出たパワーはマイコン（２）制御を半波整流サイクル制御を繰り返しすることで交互に放電と充電とを繰り返す。
また、第二マイコン（２）と連動するマイコン（７）、第七のスイッチ（ＳＷ７）・マイコン（４）、第四のＳＷ４スイッチ・マイコン（６）、第三のスイッチＳＷ３・ＳＷ５、マイコン（４）、第四のスイッチＳＷ４は、該第二のマイコン（２）制御の断続する箇所に合わせて逆電流の電圧を流すことで交互に放電と充電をする制御で、瞬間接続接点で入りしたＳＷ２、第二のスイッチを出たパワーは、逆電流を防止するダイオード（Ｄ２）を通過して全波整流回路を出たパワーは、第七のスイッチＳＷ７入りで通りぬけて負荷
（３）に接続される。
該負荷を出たパワーは、第三のスイッチ（ＳＷ３）入りで通りぬけて、第五のスイッチ（ＳＷ５）切りで通過したパワーは、該蓄電池（１）のマイナス極に接続される放電工程である。
２．充電としての動作
充電する（逆電流）工程に入る前に半波整流の断続した箇所に合わせて制御したマイコン（２）、第二のスイッチＳＷ２の出力パワーは、全波整流回路を出たパワーは、第七のスイッチＳＷ７接続接点が切りに制御された出力パワーは、第四のスイッチＳＷ４の切りまで接続されている。
半流整流の断続した箇所に合わせて逆電流を制御すマイコン（４）制御で接続接点する、第四のスイッチＳＷ４を通り、Ｎ／Ｐ可変容量（５）ダイオードにパワーが接続される該ダイオード（５）を出たパワーは、電圧ダイオード（Ｄ３）通りぬけたパワーは逆電流止める、第二のスイッチ（ＳＷ２）切りに制御されている。
該第一のスイッチＳＷ１を通りぬけたパワーは、該蓄電池（１）のプラス極に接続されると硫酸鉛の中和を始めた出力電圧パワーはマイナス極に入力される。
該マイナス極を出たパワーは、マイコン（６）制御で、第三のスイッチＳＷ３は切りへ。
第五のスイッチＳＷ５は入りされて通りぬけたパワーは、電流制限抵抗に直列に接続される該蓄電池（１）の出力電圧に合わせた抵抗（Ｒ）を出たパワーはＤ２ダイオードを通りぬけてＤ１ダイオードの全波整流回路に接続される。
該Ｄ１ダイオード出たパワーは、第四のスイッチは切りへ制御されているを通過した直流に変換されたパワーは、マイコン（７）制御で、第七のスイッチＳＷ７で入りされて外部に取り出したパワーに負荷（３）を接続する。
該負荷（３）を出たパワーは、マイコン（６）制御で、第三のスイッチＳＷ３は入りへ、第五のスイッチＳＷ５切りへ制御されてパワーが通りぬけたパワーは、該蓄電池（１）のマイナス極に接続される。
以上のことを繰り返すことで交互に放電・充電を特徴とする蓄電池。
【符号の説明】
【０００８】  １  蓄電池
２  マイコン
３  負荷
４  マイコン
５  ダイオード
６  マイコン
７  マイコン
【図１】
2016036238.tif 000003
【図２】
2016036238.tif 000004